(57)【要約】【課題】電池残量の低下を適切なタイミングで通知する。【解決手段】携帯端末（１）は、ユーザの行動予定が、電池（８）の充電を開始することが不可能または困難な行動予定であるか否かを判定する通知要否判定部（１３）と、ユーザの行動予定が充電を開始することが不可能または困難と判定された場合に、当該行動予定の開始時刻より前に、電池（８）の電池残量の低下を通知する通知部（５）と、を備える。【選択図】図１
2017050655.tif 000002
【特許請求の範囲】
【請求項１】
二次電池から供給される電力によって駆動する情報処理装置であって、
ユーザの行動予定が、当該ユーザが上記二次電池の充電を開始することが不可能または困難な充電不可行動であるか否かを判定する行動予定判定部と、
上記行動予定判定部によって、上記充電不可行動であると判定された上記行動予定の開始時刻より前に、上記二次電池の電池残量の低下を通知する通知部と、を備えることを特徴とする情報処理装置。
【請求項２】
上記通知部は、現時点の上記二次電池の電池残量が所定の第１閾値未満である場合に、上記充電不可行動であると判定された上記行動予定の開始時刻より前に、当該二次電池の電池残量の低下を通知することを特徴とする請求項１に記載の情報処理装置。
【請求項３】
上記充電不可行動であると判定された上記行動予定が終了した時点での上記二次電池の電池残量の予測値を求める残量予測部をさらに備え、
上記通知部は、上記残量予測部によって、上記充電不可行動であると判定された上記行動予定が終了した時点での上記二次電池の電池残量の予測値が、所定の第２閾値未満である場合に、当該行動予定の開始時刻より前に、当該二次電池の電池残量の低下を通知することを特徴とする請求項１に記載の情報処理装置。
【請求項４】
上記ユーザの現在位置を示す現在位置情報と、上記ユーザの日常の行動において現在時刻に対応付けられた位置情報である日常位置情報とを比較して、当該ユーザの現在の行動が、当該ユーザの日常の行動と一致するか否かを判定する行動判定部をさらに備え、
上記行動判定部が上記ユーザの現在の行動が当該ユーザの日常の行動と一致しないと判定した場合、上記行動予定判定部は、当該ユーザの現在時刻より後の行動予定が上記充電不可行動であるか否かの判定を行うことを特徴とする請求項１から３のいずれか１項に記載の情報処理装置。
【請求項５】
二次電池から供給される電力によって駆動する情報処理装置の制御方法であって、
ユーザの行動予定が、当該ユーザが上記二次電池の充電を開始することが不可能または困難な充電不可行動であるか否かを判定する行動予定判定ステップと、
上記行動予定判定ステップにおいて、上記充電不可行動であると判定された上記行動予定の開始時刻より前に、上記二次電池の電池残量の低下を通知する通知ステップと、を含むことを特徴とする情報処理装置の制御方法。
【請求項６】
請求項１に記載の情報処理装置としてコンピュータを機能させるための制御プログラムであって、上記行動予定判定部としてコンピュータを機能させるための制御プログラム。
【請求項７】
請求項６に記載の制御プログラムを記録したコンピュータ読み取り可能な記録媒体。
【発明の詳細な説明】
【技術分野】
【０００１】
本発明は、二次電池の電池残量の低下をユーザに通知する情報処理装置および情報処理装置の制御方法に関する。
【背景技術】
【０００２】
携帯電話およびスマートフォンなどの携帯端末は、二次電池から供給される電力を利用して駆動する。そのため、携帯端末を使用し続けるためには、電池残量が無くなる前に二次電池の充電を行う必要がある。
【０００３】
しかし、出張先などの外出先や移動中などでは、ＡＣアダプタ（充電器）を介した二次電池の充電が不可能であったり、困難であったりする虞がある。そこで、特許文献１には、二次電池と、この二次電池を充電するための燃料電池を備えると共に、ユーザの通常の行動パターンに基づいて充電が必要だと推定される場合にのみ、燃料電池を用いて二次電池の充電を行うことにより、燃料電池の燃料の消費を抑えることができる携帯端末が開示されている。
【先行技術文献】
【特許文献】
【０００４】
【特許文献１】特開２００９−２９６７０９号公報（２００９年１２月１７日公開）
【発明の概要】
【発明が解決しようとする課題】
【０００５】
しかしながら、上述のような従来技術は燃料電池を別に携帯していなければならないという問題がある。また、燃料電池を用いて二次電池を充電する場合、燃料電池の電力量は有限であるため、燃料電池の補充またはＡＣアダプタ（充電器）を介した充電がいずれ必要となる。
【０００６】
携帯電話、スマートフォン、タブレット、音楽プレーヤー、ラジオ、懐中電灯、および車両など、二次電池から供給される電力によって駆動する機器を使用し続けるためには、二次電池の充電を行うことが不可能または困難な状態になる前に、二次電池の充電の必要性をユーザに通知することが望ましい。
【０００７】
本発明は、上記の問題点を解決するためになされたものであり、その目的は、二次電池の充電を開始することが不可能または困難になる前に、電池残量の低下をユーザに通知することができる情報処理装置などを実現することにある。
【課題を解決するための手段】
【０００８】
上記の課題を解決するために、本発明の一態様に係る情報処理装置は、二次電池から供給される電力によって駆動する情報処理装置であって、ユーザの行動予定が、当該ユーザが上記二次電池の充電を開始することが不可能または困難な充電不可行動であるか否かを判定する行動予定判定部と、上記行動予定判定部によって、上記充電不可行動であると判定された上記行動予定の開始時刻より前に、上記二次電池の電池残量の低下を通知する通知部と、を備えている。
【０００９】
上記の課題を解決するために、本発明の一態様に係る情報処理装置の制御方法は、二次電池から供給される電力によって駆動する情報処理装置の制御方法であって、ユーザの行動予定が、当該ユーザが上記二次電池の充電を開始することが不可能または困難な充電不可行動であるか否かを判定する行動予定判定ステップと、上記行動予定判定ステップにおいて、上記充電不可行動であると判定された上記行動予定の開始時刻より前に、上記二次電池の電池残量の低下を通知する通知ステップと、を含んでいる。
【発明の効果】
【００１０】
本発明の一態様によれば、二次電池の充電を開始することが不可能または困難になる前に、電池残量の低下をユーザに認識させて、二次電池の充電を促すことができる、という効果を奏する。
【図面の簡単な説明】
【００１１】
【図１】本発明の実施形態１に係る携帯端末の概略構成の一例を示す機能ブロック図である。
【図２】（ａ）は、携帯端末の外観の一例を示す図であり、（ｂ）は、携帯端末のハードウェア構成の一例を示すブロック図である。
【図３】携帯端末が電池の電池残量の低下を通知する処理の流れの一例を示すフローチャートである。
【図４】実施形態２に係る携帯端末の概略構成の一例を示す機能ブロック図である。
【図５】携帯端末が電池の電池残量の低下を通知する処理の流れの一例を示すフローチャートである。
【図６】実施形態３に係る携帯端末の概略構成の一例を示す機能ブロック図である。
【図７】携帯端末が電池の電池残量の低下を通知する処理の流れの一例を示すフローチャートである。
【発明を実施するための形態】
【００１２】
本発明に係る情報処理装置は、二次電池から供給される電力によって駆動する情報処理装置であって、ユーザの将来の行動予定を示すスケジュール情報を参照し、ユーザの行動予定が、ユーザによって二次電池の充電を開始することが不可能または困難な行動予定である場合に、当該行動予定の開始時刻より前に、電池の電池残量の低下をユーザに通知する。
【００１３】
以下では、本発明に係る情報処理装置を携帯端末１に適用した場合について説明する。なお、本発明に係る情報処理装置は、携帯端末１に限定されず、二次電池から供給される電力によって駆動する、携帯電話、スマートフォン、タブレット、音楽プレーヤー、ラジオ、懐中電灯、および車両など、任意の機器に適用することができる。
【００１４】
〔実施形態１〕
（携帯端末１の外観およびハードウェア構成）
まず、携帯端末１の外観について、図２の（ａ）を用いて説明する。図２の（ａ）は、携帯端末１の外観の一例を示す図である。図示のように、携帯端末１は、表示部５１（通知部）および音声出力部５２（通知部）を備えている。なお、表示部５１および音声出力部５２の配置は任意に変更可能であり、図示された配置に限定されない。
【００１５】
表示部５１は、主制御部１００から取得した各種情報やメッセージなどを表示するディスプレイであり、例えば、液晶ディスプレイ（ＬＣＤ）である。なお、表示部５１に、ユーザによる様々な操作を検知するタッチセンサ（図示せず）が重畳された構成であってもよい。音声出力部５２は、主制御部１００から音楽、アラーム音、音声メッセージなどの音声データを取得して、当該音声を出力するスピーカである。
【００１６】
続いて、携帯端末１のハードウェア構成について、図２の（ｂ）を用いて説明する。図２の（ｂ）は、携帯端末１のハードウェア構成の一例を示すブロック図である。図２に示すように、携帯端末１は、主制御部１００、各種のデータ通信を行う通信部６、電池８（二次電池）、位置情報取得部３、記憶部４、および通知部５を備えている。なお、説明の便宜上、ユーザの音声の入力を受け付ける音声入力部、ユーザによる操作を受け付ける操作入力部、時計部、撮像部（カメラ）、携帯端末１の状態を検出するための各種センサ（例えば、温度センサ、ジャイロセンサ、加速度センサ）など、携帯端末１が備え得る他の機能については、図示を省略した。
【００１７】
主制御部１００は、携帯端末１が備える各機能を処理するＣＰＵ（図示せず）を含み、携帯端末１の動作全般を制御する。主制御部１００は、後述する通知判断部１０を含んでいる。なお、通知判断部１０の詳細については後に説明する。
【００１８】
電池８は、二次電池であり、携帯端末１に電力を供給する。電池８は、電池残量測定回路２１を含む回路である電池ＩＣ２を有している。通知部５は、前述の表示部５１および音声出力部５２を含み、ユーザに対して各種の警告を発したり、メッセージを提示したりする。なお、電池８は、携帯端末１に内蔵されている二次電池であってもよいし、携帯端末１の筐体外から携帯端末１に電力を供給する二次電池であってもよい。
【００１９】
位置情報取得部３は、現在の位置を示す位置情報を取得する。位置情報取得部３は、携帯端末１の現在の位置を示す位置情報を、例えば、ＧＰＳ衛星（図示せず）から受信して、主制御部１００のＣＰＵ（図示せず）に出力する。なお、位置情報取得部３が受信する位置情報は、ＧＰＳ衛星からの位置情報に限定されない。例えば、ＧＰＳ衛星以外の各国の測位衛星システムからの位置情報であってもよい。あるいは、位置情報取得部３は、衛星から位置情報を受信するのではなく、Ｗｉ−Ｆｉ（登録商標）のアクセスポイントとの通信によって位置情報を取得してもよいし、基地局測位機能を用いて位置情報を取得してもよい。
【００２０】
記憶部４は、主制御部１００が実行する各種アプリケーションプログラム、ＯＳプログラム、制御プログラム、およびこれらプログラムを実行する場合に読み出されて利用される各種データ（設定値、テーブルなど）を記憶する記憶領域である。アプリケーションプログラムとしては、ユーザの日常の行動履歴や将来の行動予定などを管理するスケジュール管理アプリケーション、電池８の電池残量を監視するアプリケーションなどが挙げられる。記憶部４は、スケジュール情報４１および充電機会有無基準４２などを含んでおり、スケジュール情報４１および充電機会有無基準４２は、スケジュール管理アプリケーションによって管理・参照されてもよい。なお、スケジュール情報４１および充電機会有無基準４２については後に説明する。
【００２１】
（携帯端末１の構成）
次に、携帯端末１の構成について、図１を用いて説明する。携帯端末１は、電池ＩＣ２、通知判断部１０、記憶部４、および通知部５を備えている。通知判断部１０は、電池残量取得部１１、行動予定特定部１２、および通知要否判定部１３（行動予定判定部）を備えている。
【００２２】
電池ＩＣ２は、電池８の電池残量を測定する回路である電池残量測定回路２１を含んでいる。電池残量測定回路２１は、電池残量取得部１１からの要求に応じて、電池８の電池残量を測定してもよいし、電池８の電池残量を定期的に測定し、電池残量取得部１１に測定結果を出力してもよい。
【００２３】
記憶部４は、スケジュール情報４１および充電機会有無基準４２を備えている。スケジュール情報４１は、（１）ユーザによって入力（登録）された将来の行動予定、および（２）ユーザの日常的な行動パターンから推定される日常の行動予定を含んでいてもよい。
【００２４】
ユーザの日常（通常）の行動パターンは、スケジュール管理アプリケーションを主制御部１００が実行することによって、例えば、携帯端末１の時刻ごとの移動履歴および各種センサの検知情報に基づいて推定され得る。すなわち、携帯端末１は、自端末の位置を示す位置情報（例えば、ＧＰＳ情報であれば、経度および緯度の組合せ）を定期的（例えば、１時間毎）に取得しており、当該位置情報と時間帯（開始時刻と終了時刻）との組み合わせが、日常的にどのように繰り返されるかを記録している。記録された位置情報と時刻との組み合わせ、およびカレンダー情報などに基づいて、「通勤時間」、「勤務中」、「退勤時間」、「睡眠前」、「睡眠中」などのユーザの行動を推定することができる。
【００２５】
一方、充電機会有無基準４２には、電池８の充電を行うことが不可能または困難である行動予定（以下、「充電不可行動」と呼ぶ）を示す、「出張」、「睡眠中」、「通勤」などのキーワードが予め登録されている。なお、主制御部１００が、電池残量の増加を検出した時刻および位置を示す位置情報、またはＡＣアダプタ（図示せず）との接続を検出した時刻および位置を示す位置情報などを記憶しており、過去に充電が行われたことが無い、または充電が行われた頻度が低い時間帯および位置情報などをスケジュール情報４１から抽出してもよい。そして、抽出された時間帯および位置情報を、電池８の充電を行うことが不可能または困難である時間帯または位置として、充電機会有無基準４２に登録する構成であってもよい。
【００２６】
電池残量取得部１１は、電池残量測定回路２１から電池８の電池残量の測定値を取得する。電池残量取得部１１は、取得した電池残量が、所定の閾値（第１閾値）未満である場合、行動予定特定部１２にその旨を出力する。なお、「所定の閾値」としては、予め所望の値を設定し得る。例えば、電池残量の測定値（ｍＡｈ）をそのまま用いてもよいし、満充電時に測定される電池残量の測定値に対する割合（例えば、３０％など）として設定してもよい。
【００２７】
行動予定特定部１２は、電池残量取得部１１から、電池残量が所定の閾値（第１閾値）未満であることを受信した場合、スケジュール情報４１を参照して、ユーザの行動予定を特定する。行動予定特定部１２は、特定した行動予定に対応付けられた、当該行動予定の名称、開始時刻、および終了時刻などを示す情報を通知要否判定部１３に送る。
【００２８】
通知要否判定部１３は、充電機会有無基準４２を参照して、行動予定特定部１２が特定した、上記行動予定が、充電不可行動であるか否かを判定する。通知要否判定部１３は、例えば、上記ユーザの次の行動予定が充電不可行動であると判定した場合、当該次の行動予定の開始時刻より前に、電池８の電池残量の低下を通知するよう通知部５に指示する。
【００２９】
電池８の電池残量の低下を通知する方法としては、通知要否判定部１３からの指示に応じて、乾電池を模した画像を表示部５１に表示させてもよい。あるいは、通知要否判定部１３の指示に応じて、「今のうちに充電をしてはいかがでしょう」、「充電するチャンスです」などのメッセージを表示部５１に表示させてもよい。または、通知要否判定部１３の指示に応じて、「現在電池残量が３０％です。次のスケジュール「出張」の前に、充電をしませんか」というメッセージを表示部５１に表示させてもよい。このメッセージは、例えば、主制御部１００が記憶部４に格納されている「現在電池残量が（Ａ）％です。次のスケジュール（Ｂ）の前に、充電をしませんか」というテンプレート文字列に基づいて作成されてもよい。主制御部１００は上記テンプレート文字列を記憶部４から読み出し、電池残量取得部１１から現在の電池残量の数値「３０（％）」を取得して上記空欄Ａに挿入し、行動予定特定部１２から次の行動予定の名称「出張」を上記空欄Ｂに挿入することによって、上記メッセージを作成すればよい。
【００３０】
電池８の電池残量の低下を通知する方法としては、通知要否判定部１３からの指示に応じて、音声出力部５２から、アラーム音や所定の音楽などを出力させてもよい。あるいは、通知要否判定部１３からの指示に応じて、音声出力部５２から、上述のメッセージに対応する音声メッセージなどを出力させてもよい。
【００３１】
なお、記憶部４に電池８の充電が可能な位置を示す位置情報が格納されている場合、通知要否判定部１３からの指示に応じて、充電可能な場所を示す位置情報を記憶部４から読み出して、通知部５から出力させる構成であってもよい。
【００３２】
（携帯端末１が電池８の電池残量の低下を通知する処理の流れ）
続いて、携帯端末１が電池８の電池残量の低下を通知する処理の流れについて、図３を用いて説明する。図３は、携帯端末１が電池８の電池残量の低下を通知する処理の流れの一例を示すフローチャートである。
【００３３】
電池残量取得部１１は、電池８の電池残量のモニタを開始する（Ｓ１１）と、電池残量取得部１１は電池残量測定回路２１から現時点の電池残量を取得する。電池残量取得部１１が電池８の電池残量が、満充電時の３０％未満であることを検知したとき（Ｓ１２にてＹＥＳ）、行動予定特定部１２は、記憶部４のスケジュール情報４１を参照して、記憶（登録）されているユーザの行動予定を特定する。なお、Ｓ１２の電池残量の閾値「３０％未満」は、任意に設定され得るものであり、この値に限定されない。
【００３４】
次に通知要否判定部１３は、行動予定特定部１２によって特定された、ユーザの行動予定を示す情報に、充電機会有無基準４２に登録されているキーワード（例えば、「出張」など）と一致するキーワードが含まれているか否かに基づいて、ユーザの行動予定が充電不可行動であるか否かを判定する（Ｓ１３：行動予定判定ステップ）。
【００３５】
ユーザの次の行動予定を示す情報に、充電機会有無基準４２に登録されているキーワードと一致するキーワードが含まれている場合（Ｓ１３にてＹＥＳ）、通知要否判定部１３は、当該次の行動予定が充電不可行動であると判定し、この次の行動予定の開始時刻より前である現時点において、電池８の電池残量の低下をユーザに通知するよう通知部５に指示する。通知要否判定部１３からの指示に応じて、表示部５１からメッセージを表示させてもよいし、音声出力部５２からアラーム音や所定の音楽などを出力させてもよい（Ｓ１４：通知ステップ）。
【００３６】
なお、電池残量取得部１１が取得した現時点の電池８の電池残量から、行動予定特定部１２が特定した、ユーザの次の行動予定の間に見込まれる電池残量の減少量を減算して得られる、当該次の行動予定が終了した時点での電池残量の予測値を併せて通知しても良い。この場合、携帯端末１は、充電不可行動が終了した時点での電池８の電池残量の予測値を求める電池残量予測部１５（残量予測部）をさらに備える構成であればよい。この場合、電池残量予測部１５によって求められた、ユーザの次の行動予定が終了した時点での電池８の電池残量の予測値が、所定の値（第２閾値）未満、例えば３０％より低い１０％未満である場合に、通知部５は、当該次の行動予定の開始時刻より前に、電池８の電池残量の低下を通知してもよい。なお、この所定の値（第２閾値）は、どのような値を設定してもよく、上記のように３０％（第１閾値）より低い１０％としてもよいし、３０％としてもよいし、４０％としてもよい。
【００３７】
例えば、「現在電池残量が３０％ですが、次のスケジュールの「出張」終了時には５％未満になる可能性があります」などのメッセージを表示部５１に表示させたり、音声として音声出力部５２から出力させたりしてもよい。これにより、現段階における電池８を充電することの必要性をユーザに示し、適切に充電を促すことができる。
【００３８】
一方、ユーザの次の行動予定を示す情報に、充電機会有無基準４２に登録されているキーワードと一致するキーワードが含まれていない場合（Ｓ１３にてＮＯ）、通知要否判定部１３は、この時点では電池８の電池残量の低下をユーザに通知するよう通知部５に指示しない。例えば、通知要否判定部１３は、電池８の電池残量がさらに１０％未満にまで低下した時点で、電池８の電池残量の低下をユーザに通知するよう通知部５に指示する（Ｓ１５）。
【００３９】
このように、携帯端末１は、ユーザのスケジュール情報を参照して、ユーザの行動予定が充電不可行動であると判定した場合、当該行動予定の開始時刻より前に、電池８の電池残量の低下をユーザに通知するよう通知部５に指示する。これにより、電池８を充電する必要性があることをユーザに適切に通知することができる。
【００４０】
〔実施形態２〕
本発明の他の実施形態について、図４および図５に基づいて説明すれば、以下のとおりである。なお、説明の便宜上、前記実施形態にて説明した部材と同じ機能を有する部材については、同じ符号を付記し、その説明を省略する。
【００４１】
本発明の一実施形態において、携帯端末１ａは、スケジュール情報４１を参照して、現在のユーザの行動が、スケジュール情報４１に記憶されているユーザの日常の行動パターンと同じであるか否かを判定する機能を備えている。ここでは、ユーザの現在の行動が日常の行動パターンではない場合、ユーザの行動予定を参照し、当該ユーザの次の行動予定が充電不可行動であれば、当該次の行動予定の前に、電池８の電池残量の低下を通知する携帯端末１ａを例に挙げて説明する。
【００４２】
（携帯端末１ａの構成）
まず、携帯端末１ａの構成について図４を用いて説明する。図４は、携帯端末１ａの概略構成の一例を示す機能ブロック図である。なお、説明の便宜上、前記実施形態にて説明した部材と同じ機能を有する部材については、同じ符号を付記し、その説明を省略する。
【００４３】
携帯端末１ａの通知判断部１０ａは、行動判定部１４、電池残量取得部１１ａ、行動予定特定部１２ａ、および通知要否判定部１３ａ（行動予定判定部）を備えている。
【００４４】
行動判定部１４は、ユーザの現在位置を示す情報（現在位置情報）と、スケジュール情報４１に示された現在のユーザの日常の行動パターン（日常の行動）に対応付けられた位置情報（日常位置情報）とを比較して、ユーザの現在の行動が、ユーザの日常の行動パターンと一致するか否かを判定する。ユーザの現在の行動が、ユーザの日常の行動パターンと一致するか否かの判定を、下記のように行ってもよい。スケジュール情報のＡＭ１０：００に対応付けられたＧＰＳデータ（日常位置情報）と、実際にＡＭ１０：００に取得したＧＰＳデータとが一致する場合、行動判定部１４は、現在のユーザの行動は日常の行動パターンであると判定する。一方、スケジュール情報のＡＭ１０：００に対応付けられたＧＰＳデータ（日常位置情報）と、実際にＡＭ１０：００に取得したＧＰＳデータとが異なっている場合、行動判定部１４は、現在のユーザの行動は日常の行動パターンではないと判定する。
【００４５】
（携帯端末１ａが電池８の電池残量の低下を通知する処理の流れ）
続いて、携帯端末１ａが電池８の電池残量の低下を通知する処理の流れについて、図５を用いて説明する。図５は、携帯端末１ａが電池８の電池残量の低下を通知する処理の流れの一例を示すフローチャートである。以下では、Ｓ１１〜Ｓ１５の各ステップは、図３に示す携帯端末１の処理の流れと同様であるため、ここでは説明を省略する。
【００４６】
行動判定部１４は、位置情報取得部３から現在の位置を示す情報（現在位置情報）を取得し、時計部９から現在の時刻を取得している。そして、行動判定部１４は、スケジュール情報４１を参照して、取得した現在の位置情報が、スケジュール情報４１に記憶されている日常の行動パターンと対応付けて記憶されている現在の位置情報（日常位置情報）と一致するか否かを判定する（Ｓ１１ａ）。行動判定部１４が、現在のユーザの行動が、日常の行動パターンと同じではない（すなわち、通常の行動パターンではない）と判定した場合（Ｓ１１ａにてＮＯ）、電池残量取得部１１ａは電池８の電池残量のモニタを開始する（Ｓ１１）。一方、行動判定部１４が、現在のユーザの行動が、日常の行動パターンと同じ（すなわち、通常の行動パターン）と判定した場合（Ｓ１１ａにてＹＥＳ）、通知要否判定部１３は、電池８の電池残量がさらに１０％未満にまで低下した時点で、電池８の電池残量の低下をユーザに通知するよう通知部５に指示する（Ｓ１５）。
【００４７】
一般的に、日常の行動パターン（通勤、勤務、睡眠など）とは異なる行動（例えば、出張、旅行など）をしている場合には、電池８の充電を行う機会を逃してしまう可能性が高まる可能性がある。上記の構成によれば、現在の行動が日常の行動パターンと一致しない場合に、当該ユーザの現在時刻より後の行動予定が充電不可行動であることを判定する。これにより、日常の行動パターンとは異なる行動をしている場合に、ユーザに電池８の充電を適切に行わせることができる。
【００４８】
〔実施形態３〕
本発明の他の実施形態について、図６〜図７に基づいて説明すれば、以下のとおりである。なお、説明の便宜上、前記実施形態にて説明した部材と同じ機能を有する部材については、同じ符号を付記し、その説明を省略する。
【００４９】
本発明の一実施形態において、携帯端末１ｂは、電池残量取得部１１が取得した現時点の電池８の電池残量から、行動予定特定部１２が特定した、ユーザの行動予定の間に見込まれる電池残量の減少量を減算して得られる、当該行動予定が終了した時点での電池残量の予測値を算出する機能を備えている。ここでは、電池８の電池残量が３０％未満になった時点で、ユーザの次の行動予定が充電不可行動であり、当該次の行動予定が終了した時点での電池残量の予測値が１０％（第２閾値）未満になる場合に、電池残量の低下をユーザに通知する携帯端末１ｂを例に挙げて説明する。
【００５０】
（携帯端末１ｂの構成）
まず、携帯端末１ｂの構成について図６を用いて説明する。図６は、携帯端末１ｂの概略構成の一例を示す機能ブロック図である。なお、説明の便宜上、前記実施形態にて説明した部材と同じ機能を有する部材については、同じ符号を付記し、その説明を省略する。
【００５１】
携帯端末１ｂの通知判断部１０ｂは、行動判定部１４、電池残量取得部１１ｂ、行動予定特定部１２ｂ、電池残量予測部１５（残量予測部）、および通知要否判定部１３ｂ（行動予定判定部）を備えている。また、携帯端末１ｂの記憶部４ｂは、スケジュール情報４１、電池残量測定値ログ４３、および充電機会有無基準４２を含んでいる。
【００５２】
電池残量予測部１５は、ユーザの次の行動予定が充電不可行動である場合、当該次の行動予定が終了した時点での電池８の電池残量の予測値を算出する。なお、電池残量予測部１５は、上記次の行動予定のさらにその次の行動予定が終了した時点での電池８の電池残量の予測値を算出してもよい。
【００５３】
電池残量予測部１５は、過去における電池残量の推移を記憶する電池残量測定値ログ４３を参照して、携帯端末１ｂの平均消費電力（Ｗ／ｈ）に、ユーザの次の行動予定の時間帯の長さを積算して予測される減少量を算出し、現時点の電池残量から減少量を減算して電池残量の予測値を算出してもよい。あるいは、予めスケジュール情報に登録されている行動予定毎に消費電力（Ｗ／ｈ）が割当てられており、この消費電力に充電不可行動の開始から終了までの時間を積算して、減少量を算出しても良い。
【００５４】
（携帯端末１ｂが電池８の電池残量の低下を通知する処理の流れ）
続いて、携帯端末１ｂが電池８の電池残量の低下を通知する処理の流れについて、図７を用いて説明する。図７は、携帯端末１ｂが電池８の電池残量の低下を通知する処理の流れの一例を示すフローチャートである。ここでは、睡眠時間前に翌日のユーザの行動予定を参照して、睡眠時間前に、電池８の電池残量の低下をユーザに通知するか否かを判定する処理を例に挙げて説明する。しかし、これに限定されず、携帯端末１ｂは、海外出張の前、登山の前等に、電池８の電池残量の低下をユーザに通知することも可能である。
【００５５】
行動判定部１４は、位置情報取得部３から取得した現在の位置情報と、スケジュール情報４１の現時刻の行動予定「睡眠前」に対応付けられた位置情報とが一致するか否かに基づいて、ユーザが睡眠時間前か否かを判定する（Ｓ２１）。行動判定部１４が、現在のユーザの行動が、「睡眠前」と判定した場合（Ｓ２１にてＹＥＳ）、電池残量取得部１１ｂは電池８の電池残量のモニタを開始する（Ｓ２２）。
【００５６】
例えば、スケジュール情報４１には、ユーザの日常の行動パターンに基づいて、「携帯端末１ｂがユーザの睡眠中であるために放置された状態にある」と判断されている時間帯が、「睡眠」または「睡眠時間」、その時間帯の１時間前から睡眠時間までの時間帯を「睡眠前」として登録されている。行動判定部１４は、スケジュール情報４１を参照して、ユーザが現在睡眠前であることを判定することができる。
【００５７】
次に、行動予定特定部１２ｂは、ユーザの次の行動予定が「睡眠」であることを特定する。そして、電池残量予測部１５は、ユーザが睡眠している間に電池８の電池残量が１０％未満に低下するか否かを判定する。続いて、通知要否判定部１３ｂは、「睡眠」が充電不可行動であることを判定する。さらに通知要否判定部１３ｂは、電池残量予測部１５によって算出された予測値が１０％未満であれば（Ｓ２３にてＹＥＳ）、睡眠時間前に、電池８の電池残量の低下をユーザに通知する（Ｓ２７）。
【００５８】
一方、電池残量予測部１５によって算出された予測値が１０％以上であれば（Ｓ２３にてＮＯ）、通知要否判定部１３ｂは、行動予定特定部１２ｂによって特定された、ユーザの次の行動予定「睡眠」の後に予定されている、さらに次の行動予定（すなわち、起床後の行動予定）が充電不可行動であるか否かを判定する（Ｓ２４：行動予定判定ステップ）。なお、ユーザの行動予定が充電不可行動であるか否かを判定するタイミングは、行動予定がユーザによって入力された直後であってもよいし、上記のように、ユーザの次の行動予定を特定したタイミングであってもよい。
【００５９】
充電不可行動であると判定した場合（Ｓ２４にてＹＥＳ）、通知要否判定部１３ｂは、電池残量予測部１５によって算出された、起床後の行動予定の後における電池残量予測値が１０％未満であれば（Ｓ２５にてＹＥＳ）、睡眠時間前に、電池８の電池残量の低下をユーザに通知する（Ｓ２７）。
【００６０】
一方、充電不可行動ではないと判定した場合（Ｓ２４にてＮＯ）、および、起床後の行動予定の後における電池残量予測値が１０％以上であれば（Ｓ２５にてＮＯ）、通知要否判定部１３は、電池８の電池残量がさらに１０％未満にまで低下した時点で、電池８の電池残量の低下をユーザに通知するよう通知部５に指示する（Ｓ２６）。
【００６１】
なお、Ｓ２３およびＳ２６の電池残量の閾値「１０％未満」は、任意に設定され得るものであり、この値に限定されない。
【００６２】
〔ソフトウェアによる実現例〕
携帯端末１、１ａ、および１ｂの制御ブロック（特に電池残量取得部１１、１１ａ、および１１ｂ、行動予定特定部１２、１２ａ、および１２ｂ、および通知要否判定部１３、１３ａ、および１３ｂ）は、集積回路（ＩＣチップ）等に形成された論理回路（ハードウェア）によって実現してもよいし、ＣＰＵ（Central Processing Unit）を用いてソフトウェアによって実現してもよい。
【００６３】
後者の場合、携帯端末１は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、当該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【００６４】
〔まとめ〕
本発明の態様１に係る情報処理装置（携帯端末１、１ａ、１ｂ）は、二次電池（電池８）から供給される電力によって駆動する情報処理装置であって、ユーザの行動予定が、当該ユーザが上記二次電池の充電を開始することが不可能または困難な充電不可行動であるか否かを判定する行動予定判定部（通知要否判定部１３、１３ａ、１３ｂ）と、上記行動予定判定部によって、上記充電不可行動であると判定された上記行動予定の開始時刻より前に、上記二次電池の電池残量の低下を通知する通知部５と、を備えている。
【００６５】
上記の構成によれば、ユーザの行動予定が、ユーザによって二次電池の充電を開始することが不可能または困難な行動予定である場合に、当該行動予定の開始時刻より前に、電池の電池残量の低下をユーザに通知する。これにより、二次電池の充電を開始することが不可能または困難になる前に、電池残量の低下をユーザに認識させて、二次電池の充電を促すことができる。よって、ユーザは、二次電池の充電に適切な機会を逃すことなく、二次電池の充電を行うことができる。
【００６６】
本発明の態様２に係る情報処理装置は、上記態様１において、上記通知部は、現時点の上記二次電池の電池残量が所定の第１閾値未満である場合に、上記充電不可行動であると判定された上記行動予定の開始時刻より前に、当該二次電池の電池残量の低下を通知してもよい。
【００６７】
上記の構成によれば、二次電池の電池残量が第１閾値未満であり、且つ、ユーザの次の行動予定が、ユーザによって二次電池の充電を開始することが不可能または困難な行動予定であれば、二次電池の電池残量の低下を通知する。これにより、二次電池の電池残量が実際に低下しているときに、二次電池の電池残量の低下を適切に通知することができる。
【００６８】
例えば、第１閾値を、二次電池の満充電の３０％や２０％などに設定すれば、二次電池の充電の必要性が高くなったときに、ユーザに電池残量の低下を通知することができる。
【００６９】
本発明の態様３に係る情報処理装置は、上記態様１において、上記充電不可行動であると判定された上記行動予定が終了した時点での上記二次電池の電池残量の予測値を求める残量予測部（電池残量予測部１５）をさらに備え、上記通知部は、上記残量予測部によって、上記充電不可行動であると判定された上記行動予定が終了した時点での上記二次電池の電池残量の予測値が、所定の第２閾値未満である場合に、当該行動予定の開始時刻より前に、当該二次電池の電池残量の低下を通知してもよい。
【００７０】
上記の構成によれば、充電不可行動であると判定されたユーザの行動予定が終了した時点での二次電池の電池残量の予測値が、所定の第２閾値未満である場合に、当該行動予定の開始時刻より前に、二次電池の電池残量の低下を通知する。これにより、情報処理装置は、上記充電不可行動である行動予定の開始時刻より前に、二次電池を充電すべきであることをユーザに通知することができる。よって、ユーザは、二次電池の電池残量が第２閾値にまで低下する前に、二次電池の充電が必要であることを認識することができる。
【００７１】
例えば、ユーザが出張時の移動時間を終えた時点での電池残量が第２閾値未満に低下することが予測された場合、出張に出発する前に二次電池の充電を行うようにユーザに促すことができる。
【００７２】
本発明の態様４に係る情報処理装置は、上記態様３において、上記通知部は、上記行動予定判定部によって、上記充電不可行動であると判定された上記行動予定より後の行動予定が上記充電不可行動であると判定された場合に、上記充電不可行動であると判定された最初の行動予定の開始時刻より前に、当該二次電池の電池残量の低下を通知してもよい。
【００７３】
上記の構成によれば、充電不可行動である行動予定より後の行動予定も充電不可行動である場合、充電不可行動である最初の行動予定の開始時刻より前に、当該二次電池の電池残量の低下を通知する。これにより、二次電池の充電を行うことが不可能または困難になる前に、二次電池の充電を行うようにユーザに促すことができる。
【００７４】
本発明の態様５に係る情報処理装置は、上記態様のいずれかにおいて、上記充電不可行動が終了した時点での上記二次電池の電池残量の予測値を算出する残量予測部（電池残量予測部１５）をさらに備え、上記残量予測部によって、上記次の行動予定のさらにその次の行動予定が終了した時点での上記二次電池の電池残量の予測値が、所定の第２閾値未満である場合に、当該次の行動予定の開始時刻より前に、当該二次電池の電池残量の低下を通知してもよい。
【００７５】
上記の構成によれば、ユーザの次の行動予定のさらにその次の行動予定が終了した時点での二次電池の電池残量の予測値が、第２閾値未満である場合に、次の行動予定の開始時刻より前に、二次電池の電池残量の低下を通知する。これにより、二次電池の充電を行うことが不可能または困難な行動予定が連続する前に、二次電池の充電を行うようにユーザに促すことができる。
【００７６】
本発明の態様６に係る情報処理装置は、上記態様のいずれかにおいて、上記ユーザの現在位置を示す現在位置情報と、上記ユーザの日常の行動において現在時刻に対応付けられた位置情報である日常位置情報とを比較して、当該ユーザの現在の行動が、当該ユーザの日常の行動と一致するか否かを判定する行動判定部をさらに備え、上記行動判定部が上記ユーザの現在の行動が当該ユーザの日常の行動と一致しないと判定した場合、上記行動予定判定部は、当該ユーザの現在時刻より後の行動予定が上記充電不可行動であるか否かの判定を行ってもよい。
【００７７】
一般的に、日常の行動（通勤、勤務、睡眠など）とは異なる行動（例えば、出張など）をしている場合には、二次電池の充電を行う機会を逃してしまう可能性が高まる。上記の構成によれば、現在の行動が日常の行動と一致しない場合に、当該ユーザの現在時刻より後の行動予定が上記充電不可行動であるか否かを判定する。これにより、日常の行動とは異なる行動をしている場合に、ユーザに二次電池の充電を適切に行わせることができる。
【００７８】
本発明の態様７に係る情報処理装置（携帯端末１、１ａ、１ｂ）の制御方法は、二次電池から供給される電力によって駆動する情報処理装置の制御方法であって、ユーザの行動予定が、当該ユーザが上記二次電池の充電を開始することが不可能または困難な充電不可行動であるか否かを判定する行動予定判定ステップ（Ｓ１３、Ｓ２４）と、上記行動予定判定ステップにおいて、上記充電不可行動であると判定された上記行動予定の開始時刻より前に、上記二次電池の電池残量の低下を通知する通知ステップ（Ｓ１４、Ｓ２６）と、を含んでいる。上記の構成によれば、上記態様１と同様の効果を奏する。
【００７９】
本発明の各態様に係る情報処理装置は、コンピュータによって実現してもよく、この場合には、コンピュータを上記情報処理装置が備える各部（ソフトウェア要素）として動作させることにより上記情報処理装置をコンピュータにて実現させる情報処理装置の制御プログラム、およびそれを記録したコンピュータ読み取り可能な記録媒体も、本発明の範疇に入る。
【００８０】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００８１】
１、１ａ、１ｂ  携帯端末（情報処理装置）
５  通知部
８  電池（二次電池）
１３、１３ａ、１３ｂ  通知要否判定部（行動予定判断部）
１４  行動判定部
１５  電池残量予測部（残量予測部）
５１  表示部（通知部）
５２  音声出力部（通知部）
Ｓ１３、Ｓ２４  行動予定判定ステップ
Ｓ１４、Ｓ２６  通知ステップ
【図１】
2017050655.tif 000003
【図２】
2017050655.tif 000004
【図３】
2017050655.tif 000005
【図４】
2017050655.tif 000006
【図５】
2017050655.tif 000007
【図６】
2017050655.tif 000008
【図７】
2017050655.tif 000009